(57)【要約】【課題】靴下より細い糸が密に編み込まれるストッキングの爪先部に、使用状態で足指に違和感を与えることのない形態を与える。【解決手段】ストッキング１を足の踵から爪先へかけての足裏部２と甲部３、及び足指を覆う爪先部４の３部分から構成し、爪先部４を足裏部２と甲部３のいずれか一方から、爪先の先端位置を経て足裏部２と甲部３のいずれか他方側へ連続させ、この連続した先の前記いずれか他方側においてその他方側と縫合する。  爪先部４は足裏部２から爪先の先端位置を経て甲部３側へ連続する場合と、甲部３から足裏部２側へ連続する場合があり、前者の場合、爪先部４は甲部３側において甲部３と縫合され、後者の場合には足裏部２側において足裏部２と縫合される。【選択図】図１
2008266803.tif 000002
【特許請求の範囲】
【請求項１】
足の踵から爪先へかけて足裏部と甲部、及び足指を覆う爪先部を有し、この爪先部は前記足裏部と前記甲部のいずれか一方から、前記爪先の先端位置を経て前記足裏部と前記甲部のいずれか他方側へ連続し、この連続した先の前記いずれか他方側においてその他方側と縫合されていることを特徴とするストッキング。
【請求項２】
前記爪先部の容積は足幅の中心線より親指寄りで大きいことを特徴とする請求項１に記載のストッキング。
【請求項３】
前記爪先部の親指寄りの位置に、前記爪先部を構成する糸が余分に編み込まれていることを特徴とする請求項２に記載のストッキング。
【請求項４】
前記爪先部の親指寄りの位置で、親指側の編み目を粗くすること、編組織を変えること、糸を変えることのいずれかにより親指寄りの容積を大きくしてあることを特徴とする請求項２、もしくは請求項３に記載のストッキング。
【請求項５】
請求項１乃至請求項４のいずれかに記載のストッキングを製造する方法であって、前記足裏部と前記甲部との縫合部までの区間を筒編みした後、前記爪先部と前記甲部、もしくは前記足裏部を縫合することを特徴とするストッキングの製造方法。
【発明の詳細な説明】
【技術分野】
【０００１】
本発明は靴下編機により筒編して得られるストッキング、及びその製造方法に関するものである。
【背景技術】
【０００２】
図１０に示すような一般的な靴下は足の入口部から爪先部に向かって筒編みした後、その筒編部の甲部側に形成されている開口部の端部を逢着（縫合）することによって製造される。図１０中、２６が逢着（縫合）部を示す。
【０００３】
図１０に示す靴下は図１２に示す、複数本の編針５０が周囲に装着された針釜６０を一定の向きに回転（正回転）させて編み立てる回転動作と、針釜６０を正逆方向に交互に回動させて編み立てる回動動作とを併せ持つ丸編機を用いて製編される。編針５０は図１２−（ａ）に示すようにその先端部に設けられた鉤部５２において、一端部で開閉するベラ５４の他端部が、鉤部５２の首部に設けられた釘５６に回動自在に軸着されることにより形成される。
【０００４】
針釜６０の本体である筒状部材６２の外周面には図１２−（ｂ）、（ｃ）に示すように複数本の縦溝６４が形成され、この各縦溝６４に図１２−（ａ）に示す編針５０が上下動可能に挿入される。この針釜６０を一定の向きに回転させるとき、所定箇所で編針５０が順次持ち上げられることにより編み立て動作が行われる。
【０００５】
この図１２に示す丸編機を用いた従来の靴下の爪先部２２においては図１１に示すように、針釜５０を一定の向きに回転させて所定長さの筒編部２３を編み立てた後、針釜６０を回動（正回転と逆回転）させて爪先部２２を編み立てることが行われる。
【０００６】
爪先部２２を編み立てる際には、靴下２１の足裏側２４を示す図１１−（ｃ）のＡＢ位置まで編み立てた後、針釜６０を正逆方向に回動させつつ編み立てに関与する編針５０の針数を順次減少させてＣＤ位置まで編み立てる。ＣＤ位置まで編み立てた後、靴下の甲部側２５を示す図１１−（ａ）のＡＢ位置まで、針釜６０を正逆方向に回動させつつ編み立てに関与する針数を順次増加させて編み立てることによって爪先部２２が形成される。
【０００７】
更に図１１−（ａ）に示すＡＢ位置まで編み立てた後、針釜６０の編み立てに関与する針数を所定本数に保持しつつ、筒編部２３の甲部側２５に形成された開口部まで製編することにより逢着部（縫合部）２６が形成される。ここで、爪先部２２の足裏側２４と甲部側２５との端縁には、各側を形成するループの一部が互いに絡み合わされてなる連結線ＡＣ、ＢＤが形成される。この連結線ＡＣ、ＢＤは針釜６０が正方向又は逆方向に回動した際の回動端でもある。
【０００８】
このように図１０に示す靴下の場合には、足裏部は甲部と共に筒編みされ、足裏部側は甲部側へかけて爪先部まで連続して折り返され、この折り返された爪先部が甲部と縫合される。靴下用の糸は製編されることにより十分な引張強度を有することから、通常、足裏部と甲部を製編する糸と異なる太さの糸を爪先部に使用することは必要ではなく、靴下全体に同一の糸を使用することができる。
【０００９】
しかしながら、靴下と異なり、糸の細いストッキングを製編する場合には、爪による破損を防止する目的から、爪先部には足裏部と甲部を構成する糸より太い糸が使用されることがある。このため、その太い糸で構成された爪先部と甲部の縫合にはこれらの製編に使用される針より更に太い糸の縫合が可能な針を使用する必要がある。
【００１０】
また使用状態では、爪先部に、足の長さ方向に作用する張力が大きくなることから、この張力に耐え得るよう、縫合部分では爪先部の縁と甲部の縁を重ねて縫合することが必要になる。このとき、爪先部を構成する糸が足裏部と甲部を構成する糸より太いことで、縫合には筒編みに使用される針より強度の大きい（太い）針を使用せざるを得ない。
【００１１】
特にストッキングでは、靴下の場合に使用される針（糸）の数（例えば２００本）の２倍に近い数（例えば４００本）の針（糸）が使用されるため、単位面積当たりの糸の密度が靴下の場合より大きく、爪先部と甲部の縫合に使用される針は縫合時に、製編時にはない大きい抵抗を受ける。
【００１２】
そこで、縫合時に、筒編みに使用した針を太めの針に交換すればよいと考えられるが、針釜６０にはその径に対応した特有の大きさの編針５０が装着されることから、針釜６０を駆動可能状態に置いたまま、編針５０のみを交換することができない。従ってストッキングの製編では、針釜６０を用いたまま、最終工程である「爪先部の縫合」までの作業を遂行することができない現状にある。
【００１３】
以上のことから、ストッキングを製編する場合には、足裏部と甲部を爪先部まで筒編した後、針釜６０とは別のミシンを用い、足裏部と甲部の爪先部を重ね合わせてその先端を縫合せざるを得ない（特許文献１、２参照）。この縫合はストッキングを裏返した状態で行われる（特許文献１参照）。
【００１４】
【特許文献１】特開平８−２７６０２号公報（段落００２０、図１、図４）
【特許文献２】特開２００１−３５５１５５号公報（段落００１３、図１、図１４、図１５）
【発明の開示】
【発明が解決しようとする課題】
【００１５】
縫合時には足裏部と甲部の余分な部分が切断され、除去されるが、この切断線が縫合用の糸を連ねた縫合線の外周側に残り、ストッキングに足を挿入した使用状態では、切断線が爪先部の内側へ突出するため、切断線や縫合用の糸が爪先の指に当たり、使用中に違和感や痛みを覚えることがある。
【００１６】
特に縫合部分は爪を外した足指の先端部分に接触し、その部分は使用状態で足の長さ方向に張力を受け、その張力は足の厚さ方向に作用する他の部分の張力より大きいため、使用時間が長くなる程、耐え難い痛みを伴うこともある。
【００１７】
本発明は上記背景より、使用状態で足指に違和感を与えることのない形態のストッキングとその製造方法を提案するものである。
【課題を解決するための手段】
【００１８】
請求項１に記載のストッキングは、足の踵から爪先へかけて足裏部と甲部、及び足指を覆う爪先部を有し、この爪先部が前記足裏部と前記甲部のいずれか一方から、前記爪先の先端位置を経て前記足裏部と前記甲部のいずれか他方側へ連続し、この連続した先の前記いずれか他方側においてその他方側と縫合されていることを構成要件とする。ここで、足の踵と爪先は足のそれぞれの位置に対応したストッキングの各部位を指す。
【００１９】
爪先部が足裏部と甲部のいずれか一方から、爪先の先端位置を経て足裏部と甲部のいずれか他方側へ連続するとは、爪先部が足裏部から爪先の先端位置を経て甲部側へ連続する場合と、甲部から爪先の先端位置を経て足裏部側へ連続する場合がある。前者の場合、爪先部は甲部側において甲部と縫合され、後者の場合には足裏部側において足裏部と縫合される。
【００２０】
本発明のストッキングにはショートストッキング、パンティストッキング、ノンガーターストッキングの他、タイツ等が含まれ、主として靴下より細めの糸で製編され、少なくとも踵部から爪先部までの部分を有し、使用状態で足の爪先に張力が生ずる薄手の靴下全般が含まれる。
【００２１】
ストッキングの、足が挿入される部分は爪先部と甲部との縫合部以外、前記した靴下と同様に筒編みされ、周方向に連続した形をするが、部位単位で区分すれば、足裏部と甲部、及び爪先部の３部分から構成される。
【００２２】
丸編機では縫合前までの製編が行われ、爪先部と甲部、もしくは足裏部の縫合には丸編機とは別のミシンが用いられる。縫合と同時に余分な部分は切断される。爪先部の縫合はストッキングを裏返した状態で行われる。
【００２３】
足裏部と甲部は踵側から爪先部側へ向け、針釜の回転動作により連続して筒編みされるが、筒編みは甲部側、もしくは足裏部側においては縫合位置で止まり、縫合位置と反対側である足裏部側、もしくは甲部側においては針釜の回動（往復）動作により爪先部まで連続して編み立てられる。結果として、足裏部、もしくは甲部は爪先部に連続して甲部側、もしくは足裏部側へ回り込む。爪先部は足の全指を包み込む部分であり、足裏部から甲部まで連続した袋状の立体形状に形成される。
【００２４】
縫合部が爪先部の先端より甲部側、もしくは足裏部側に位置し、爪先部の先端位置を外した位置に形成されることで、使用状態では足指には爪の部分から足指の付け根までの区間、もしくは甲側で、あるいは足指の裏側で接触することになる。この結果、縫合部が足指の先端に接触することがなくなり、足指に対して違和感や痛みを与えることがなくなるか、緩和される。
【００２５】
前記の通り、足指は爪先部から足の長さ方向に、厚さ方向より大きい張力を受けるため、足指の先端が受ける圧力が顕著になる。これに対し、請求項１では爪先部の先端に縫い目がなく、爪先部が爪先の先端位置を経て足裏部と甲部とに跨って連続した袋状の立体形状に形成されることで、足指が納まる空間内で足指の厚さ方向に余裕を持たせることが可能になる。
【００２６】
この余裕によりストッキングの使用状態では厚さ方向に、または長さ方向に生じ得る張力が軽減されることになる。特に爪先部の先端位置に縫合部がないことで、使用状態で爪先部の先端位置が足指の形状に追従して丸みを持つことができるため、足指の先端に作用する足の長さ方向の圧力が分散され、圧迫感が緩和されることになる。
【００２７】
爪先部を構成する糸（生地）が足裏部と甲部を構成する糸より太い場合にも、縫合用の針が足裏部の生地と甲部の生地を重ねた状態で貫通することができれば、縫合部に格別な処理を施す必要はない。
【００２８】
縫合用の針が足裏部と甲部の生地を重ねた状態で両者を貫通できない場合には、爪先部と甲部との縫合部の生地をそれ以外の部分の生地より薄くすることが行われる。縫合部の生地が薄いことで、足裏部と甲部の縁を重ねながらも、縫合用の針を貫通させることが可能になる。
【００２９】
縫合部の生地がそれ以外より薄い状態は、例えば縫合部にそれ以外の部分に使用される糸より細い糸を使用することにより、または糸の密度（度目）を粗くすることにより得られる。
【００３０】
請求項１に記載の発明において、特に請求項２に記載のように爪先部の容積が足幅の中心線より親指寄りで大きい場合には、足指に与える圧迫感を緩和する効果が得られる。この場合、爪先部を含め、ストッキングの左右の片足は足幅の中心線に関して非対称の形状になる。
【００３１】
足幅の中心線とは、足の幅方向の中心を通る、足の長さ方向の直線を言う。爪先部の容積が足幅の中心線より親指寄りで大きいとは、爪先部の親指寄りの位置に、足指の挿入に伴って膨らみ得る部分を有することを言う。この膨らみ得る部分は足裏部と甲部のいずれか、または双方に形成される。
【００３２】
爪先部の容積が足幅の中心線より親指寄りで大きい形態は、例えば請求項３に記載のように爪先部の親指寄りの位置に、爪先部を構成する糸（生地）が余分に編み込まれていることにより得られる。または請求項４に記載のように爪先部の親指寄りの位置で、親指側の編み目（度目）を粗く（大きく）すること、編組織を変えること、糸（の太さ）を変えることのいずれかにより親指寄りの容積を大きくすることにより得られる。
【００３３】
編組織を変えるとは、容積を大きくする部分において伸縮し易いプレーン編みをし、その他の部分において伸縮しにくいメッシュ編みやリブ編みをすることを言う。請求項３において爪先部の親指側に余分に糸（生地）を編み込むことは、針釜６０を回動動作させて筒編みをする際に、主に親指側において編み目の増減を繰り返すことにより行われる。編み目の増減とは、図６の左側に示すように編み立ての進行に伴い、針数を増加させる区間と減少させる区間を形成することを言う。
【００３４】
請求項２〜４では爪先部の親指寄りの容積が大きく、膨らみを有することで、爪先部は図２−（ａ）に示すように使用状態では全体として足指の形態に倣った形になるため、長さや厚みの大きい親指と親指寄りの指に与える足の厚さ方向と長さ方向の張力が軽減され、足指が受ける圧迫感が一層緩和される。
【００３５】
図２−（ｂ）に従来のストッキングの爪先部を示すが、ここに示すように内部に膨らみがない爪先部の場合には、親指側と小指側が足指の中心側（中指側）に向かって足幅方向に圧力を受けるため、足指は足の幅方向に常に圧迫された状態に置かれる。親指と小指は破線で示すように中指側へ強制的に曲げられようとする。
【００３６】
これに対し、請求項２〜４では爪先部に膨らみを有することで、図２−（ａ）に示すように足指は爪先部への挿入後においても、挿入前の形態を維持することができ、親指と小指が中指側へ曲げられる圧力を受けることがない。図２−（ａ）中の破線は少なくとも親指が中指側への圧力を受けないことを意味し、膨らみの形態や形成位置によっては小指が中指側への圧力を受けないこともある。この結果、親指と小指には解放感が生ずるため、足指に疲労感とストレスを与えることがなく、外反母趾の抑制効果も得られる。
【００３７】
請求項１乃至請求項４のいずれかに記載のストッキングは主として請求項５に記載のように、足裏部と甲部との縫合部までの区間を筒編みした後、爪先部と甲部、もしくは足裏部を縫合することにより製造される。縫合部まで筒編みするとは、縫合用の糸によって縫合部が縫合される前の状態まで縫合部を筒編みすることを言う。
【００３８】
爪先部と甲部、もしくは足裏部との縫合部寄りには、例えば生地の薄い部分を形成した形で筒編みされる。縫合前の縫合部は図３に示すように筒状に開口するが、この縫合部（筒状部分）の生地の薄い部分の先（先端側）には縫合時に、生地の薄い部分を縫合部（筒状部分）の軸方向に伸長させ易くするために、生地の厚い部分を形成することもある。
【００３９】
請求項２〜４に記載のストッキングの場合には、前記のように爪先部の容積が足幅の中心線より親指寄りで大きくなるように、爪先部の親指寄りの位置に爪先部を構成する糸を余分に編み込みながら、または親指側の度目を大きくした領域、もしくは編組織を変えた領域を含みながら、縫合部まで筒編みされる。
【発明の効果】
【００４０】
足裏部と甲部、及び足指を覆う爪先部を有し、爪先部を足裏部、もしくは甲部から爪先の先端位置を経て甲部側、もしくは足裏部側へ連続させ、その連続した先で甲部、もしくは足裏部と縫合し、縫合部を爪先部の先端位置を外した位置に形成するため、縫合部が足指の先端に接触することがなくなる。この結果、足指に対して違和感や痛みを与えることを解消、もしくは緩和することができる。
【発明を実施するための最良の形態】
【００４１】
以下、図面を用いて本発明を実施するための最良の形態を説明する。
【００４２】
図１は足の踵から爪先へかけて足裏部２と甲部３、及び足指を覆う爪先部４を有し、この爪先部４が足裏部２と甲部３のいずれか一方から、爪先の先端位置を経て足裏部２と甲部３のいずれか他方側へ連続し、この連続した先のいずれか他方側においてその他方側と縫合されているストッキング１の具体例を示す。図１中、５が縫合部を示す。
【００４３】
図面では爪先部４が足裏部２から爪先の先端位置を経て甲部３側へ連続し、甲部３側において甲部３と縫合されている場合を示すが、爪先部４が甲部３から足裏部２側へ連続し、足裏部２側において足裏部２と縫合される場合もある。以下では縫合部５が甲部３にある場合を中心に説明する。
【００４４】
足裏部２と甲部３は縫合部５以外、足の長さ方向に連続し、図１２に示す針釜６０の回転（正回転）によって筒編みされることにより周方向に連続した形をし、両者間に、縫い目のような明確な境界はない。足裏部２（甲部３）と甲部３（足裏部２）は甲部３（足裏部２）の縫合部５、またはその手前まで筒編みされ、甲部３（足裏部２）の縫合部５からは針釜６０の回動（正回転と逆回転）の繰り返しにより爪先部４が製編される。
【００４５】
縫合部５までは少なくとも足の踵部６から足の長さ方向に連続して筒編みされるが、筒編みの開始位置はストッキング１が形態や長さによって決まる。ショートストッキングであれば、踝の膝寄りの位置から筒編みが開始され、パンティストッキングやノンガーターストッキングの場合には太腿部分から開始される。
【００４６】
踵部６には爪先部４と同様の強度を付与するために、その他の部分とは太さの相違する糸が使用されることもあるが、その場合、同一の針釜６０の回動（正回転と逆回転）の繰り返しにより踵部６が製編される。但し、本発明で言う踵部６は足の踵の位置に対応した部位を指し、必ずしも踵の形態に対応した立体的な形状をしている必要はなく、ストッキング１の外観上、図３−（ａ）、図８−（ｂ）のような踵の形態を有しないこともある。
【００４７】
爪先部４の製編の際には、図９に示すように親指寄りに膨らみを持たせるために、爪先部４の親指側に余分に糸を編み込むこと、または親指側の度目（編み目）を大きく（粗く）することや、編組織を変えることが行われる。親指寄りの膨らみは爪先部４の足裏側と甲側の少なくともいずれか一方に、親指寄りの少なくとも一部の領域に形成され、小指寄りに形成されることもある。
【００４８】
図６、図７、図９は膨らみが爪先部４の足裏側と甲側の双方に形成された場合の例を示すが、足裏側と甲側のいずれか一方にのみ形成されることもある。
【００４９】
親指側の度目（編み目）を大きくする場合には、爪先部４の足裏側と甲側のいずれか一方、または双方の少なくとも一部の領域の糸の間隔をその他の領域より大きくすることが行われる。編組織を変える場合には、同様に爪先部４の一部の領域の糸をプレーン編みし、その他の領域の糸をリブ編み、もしくはメッシュ編みすることが行われる。
【００５０】
いずれにしても、爪先部４に足指を挿入したときに、各指の大きさに応じて生地が足の長さ方向と幅方向の少なくともいずれか一方に伸長することができるような形態に、爪先部４の一部の領域が製編されていればよい。
【００５１】
爪先部４の親指側に余分に糸を編み込むことは、例えば図６に示すように針釜６０の回動動作による製編の際に、親指側において、足裏部２側から甲部３側へかけて編み目数を増加させる操作と減少させる操作を１回、もしくは複数回繰り返すことにより行われる。図６は針釜６０の回動動作による製編時の爪先部４の展開図であり、左側が親指側、右側が小指側を示す。矢印は製編の進行の向きを示す。
【００５２】
ここに示すように親指側において編み目数を増加させる操作（Ｂ→Ｃ）と減少させる操作（Ｃ→Ｄ）を１回以上、繰り返すことで、図６中、ハッチングで示す領域の生地が親指側に余分に編み込まれることになる。この余分な生地が爪先部４の親指側に容積の大きい部分である膨らみを形成する。この編み目数の増加操作と減少操作は小指側において行われることもある。ここで、増加し、または減少する編み目（針）の数、並びに繰り返し数は任意であり、編み目の増加数と減少数のいずれか一方が他方より多いこともある。
【００５３】
編み目数を増減（Ｂ→Ｃ→Ｄ）させる前段階の編み目数を減少させた区間（Ａ→Ｂ）の端縁と、それに連続して編み目数を増加させた区間（Ｂ→Ｃ）の端縁は互いに連結（縫合）され、製編が完了した爪先部４を正面から見れば、図６中、ハッチングで示す領域（Ｂ−Ｃ−Ｄ−Ｆ）は図７に示すように表れる。ここで、互いに連結される減少区間（Ａ→Ｂの端縁と増加区間（Ｂ→Ｃ）の端縁は縫合部５の縫合が完了した様子を示す図５にも表れている。
【００５４】
爪先部４の製編後、図１、図２−（ａ）に示す縫合部５が針釜６０の回転（正回転）によって形成される。縫合部５は爪先部４を製編する糸を使用した、爪先部４に連続した内側区間５１と、縫合のために爪先部４より細い糸を使用した縫合区間５２の、それぞれ帯状の少なくとも２区間からなり、縫合前の状態では図３−（ａ）、（ｂ）に示すように筒形の形状をしている。
【００５５】
図２−（ａ）中、甲部３側（足の表面側）に表れている、足の長さ方向に並列する２本の細線は、その細線で挟まれた区間が縫合区間５２であることを示し、足指の挿入により縫合区間５２が足の長さ方向に伸長している様子を示している。図３に示すように筒形の縫合部５は製編時には曲面状をし、足の幅方向両側がすぼまった形をしているが、この足の幅方向両側の部分は縫合の際に、ミシン７０側へ送り込むときのガイドとして利用される。
【００５６】
図面では縫合時に縫合区間５２を確実に縫合し易くするために、縫合区間５２の先端側に連続し、縫合区間５２より太い糸、例えば爪先部４用の糸を使用した外側区間５３を形成している。外側区間５３は筒状の縫合区間５２を重ねて縫合する際に、縫合区間５２を筒形の軸方向に伸ばし易くするために利用される。
【００５７】
縫合は図３の状態のストッキング１を裏返した状態で、図４に示すように縫合部５の縫合区間５２を重ねて縫合用のミシン７０に送り込むことにより行われ、外側区間５３は切断される。図５は縫合が完了した様子を示すが、縫合用の糸７は縫合区間５２が分離しないよう、足の幅方向に密に、もしくは厚さ方向に複数段に亘って縫われる。
【００５８】
図８−（ａ）〜（ｅ）にストッキング１としてのパンティストッキングの完成状態を示す。（ａ）はストッキング１の正面、（ｂ）は背面、（ｃ）は側面を示す。（ｄ）、（ｅ）はそれぞれ平面と底面を示す。図９は図８−（ａ）のＡ−Ａ線の断面図である。正面図には爪先部４と甲部３の境界の線が表れ、背面図には爪先部４と足裏部２の境界の線が表れている。爪先部４と甲部３との境界の線は縫合部５でもある。背面図には踵部６が表れている。
【図面の簡単な説明】
【００５９】
【図１】本発明のストッキングの使用状態を示した斜視図である。
【図２】（ａ）は本発明のストッキングの爪先部を含む部分の平面図、（ｂ）は従来のストッキングの爪先部を含む部分の平面図である。
【図３】（ａ）は縫合部を残し、踵部から爪先部まで筒編みしたときの様子を示した斜視図、（ｂ）は（ａ）の縫合部の拡大図である。
【図４】図３に示す縫合部の縫合時の様子を示した斜視図である。
【図５】縫合部の縫合が完了したときの様子を示した斜視図である。
【図６】爪先部の製編の手順を示した展開図である。
【図７】図６においてハッチングを入れた膨らみ部分の製編状態での様子を示した爪先部の正面図である。
【図８】（ａ）はストッキングの完成状態を示した正面図、（ｂ）は背面図、（ｃ）は側面図、（ｄ）は平面図、（ｅ）は底面図である。
【図９】図８−（ａ）のＡ−Ａ線断面図である。
【図１０】従来の靴下の外形を示した斜視図である。
【図１１】（ａ）は従来の靴下の爪先部を示した甲部側の平面図、（ｂ）は（ａ）の爪先側の正面図、（ｃ）は足裏側の背面図である。
【図１２】（ａ）は靴下編機である丸編機に装着される編針を示した立面図、（ｂ）は針釜を示した斜視図、（ｃ）は（ｂ）の一部拡大図である。
【符号の説明】
【００６０】
１……ストッキング
２……足裏部
３……甲部
４……爪先部
５……縫合部、５１……内側区間、５２……縫合区間、５３……外側区間
６……踵部
７……縫合用の糸
５０…編針
６０…針釜
７０…ミシン
【図１】
2008266803.tif 000003
【図２】
2008266803.tif 000004
【図３】
2008266803.tif 000005
【図４】
2008266803.tif 000006
【図５】
2008266803.tif 000007
【図６】
2008266803.tif 000008
【図７】
2008266803.tif 000009
【図８】
2008266803.tif 000010
【図９】
2008266803.tif 000011
【図１０】
2008266803.tif 000012
【図１１】
2008266803.tif 000013
【図１２】
2008266803.tif 000014